【手続補正書】
【提出日】平成25年8月8日(2013.8.8)
【手続補正１】
【補正対象書類名】明細書
【補正対象項目名】００２５
【補正方法】変更
【補正の内容】
【００２５】
まず、フォーカシングの際の色収差の変動を抑えるため、第１ａレンズ群Ｌ１ａが正レンズと負レンズを含むようにして色収差の発生を抑えている。フォーカス用のレンズ群を第１ａレンズ群Ｌ１ａよりも像側に配置することにより軸外光束の影響を抑える構成としている。また、負の屈折力の第１ａレンズ群Ｌ１ａより発散光束となっている軸上光束の影響を抑える為、負の屈折力の第１ｂレンズ群Ｌ１ｂを、物体側に凹面を向けた単一の負レンズにより構成し、球面収差、コマ収差等の変動を抑えている。そして第１ｂレンズ群Ｌ１ｂの焦点距離をｆ１ｂ、広角端における全系の焦点距離をｆｗとする。このとき、
−０．４＜ｆｗ／ｆ１ｂ  ＜−０．１    ・・・（１）
なる条件式を満足している。
【手続補正２】
【補正対象書類名】明細書
【補正対象項目名】００２６
【補正方法】変更
【補正の内容】
【００２６】
条件式（１）は、フォーカス用の第１ｂレンズ群Ｌ１ｂの焦点距離と広角端における全系の焦点距離の比について規定している。条件式（１）の上限を超えると第１ｂレンズ群Ｌ１ｂの負の屈折力が弱くなり、フォーカシングに必要な移動量が大きくなり、全系が大きくなってしまうので良くない。条件式（１）の下限を超えると、フォーカスレンズ群の屈折力が強くなりすぎて、フォーカシングによる収差の変動が大きくなってしまうので良くない。更に好ましくは、条件式（１）の数値範囲を次の如く設定するのが好ましい。
【手続補正３】
【補正対象書類名】明細書
【補正対象項目名】００２７
【補正方法】変更
【補正の内容】
【００２７】
−０．４＜ｆｗ／ｆ１ｂ  ＜−０．１５    ・・・（１ａ）
以上のように各実施例によれば、フォーカス用のレンズ群が十分に軽量で、またフォーカシングによる収差（特に色収差）の変動が少なく、動画撮影に良好なズームレンズが得られる。
【手続補正４】
【補正対象書類名】明細書
【補正対象項目名】００３０
【補正方法】変更
【補正の内容】
【００３０】
次に前述の各条件式の技術的意味について説明する。フォーカシングにおいては色収差の変動を低減することが重要となる。色収差の変動を抑えるには、第１ａレンズ群Ｌ１ａでの色収差の発生を抑え、フォーカス用の第１ｂレンズ群Ｌ１ｂを軸外光束の光軸からの距離が短い位置に配置することが好ましい。そのため、第１ａレンズ群Ｌ１ａを次の如く構成している。
【手続補正５】
【補正対象書類名】明細書
【補正対象項目名】００３２
【補正方法】変更
【補正の内容】
【００３２】
｜Ｑｐ−Ｑｎ｜≦０．０７          ・・・（２ａ）
色収差以外の収差、特に、球面収差やコマ収差といった軸上光束に起因する収差の変動を抑えるには、第１ｂレンズ群Ｌ１ｂに入射する軸上光束の入射角がフォーカシングに際してあまり変化しないことが重要である。つまり、発散光束である場合は、物体側のレンズ面が凹形状の負レンズであることが好ましい。そのため条件式（３）は、第１ｂレンズ群Ｌ１ｂを構成する負レンズ（負のレンズユニット）のレンズ形状について規定している。
【手続補正６】
【補正対象書類名】明細書
【補正対象項目名】００３８
【補正方法】変更
【補正の内容】
【００３８】
以上のように各実施例によれば、フォーカス用のレンズ群がコンパクトでフォーカシングの際の諸収差変動（特に色収差変動）が少なく、高い光学性能を有したズームレンズが得られる。更にズームレンズを有する交換レンズ装置、及びそれを有する撮像装置が得られる。
【手続補正７】
【補正対象書類名】明細書
【補正対象項目名】００４５
【補正方法】変更
【補正の内容】
【００４５】
(数値実施例１)
単位 mm
面データ
面番号       r        d      nd         νd       有効径
1         85.814    3.50   1.58313    59.4       51.83
2*        12.150   12.84                         31.65
3*        82.577    1.07   1.83481    42.7       30.63
4         24.728    1.76                         28.27
5         24.951    7.72   1.64769    33.8       28.42
6        -84.939    4.70                         27.41
7*       -48.110    1.80   1.74100    52.6       22.43
8        791.370  (可変)                         21.21
9         31.901    0.89   1.90366    31.3       20.84
10         19.866    5.77   1.49700    81.5       20.67
11        -50.208    0.15                         21.07
12         37.448    2.95   1.67790    55.3       21.45
13       -166.162  (可変)                         21.28
14(絞り)    ∞       1.46                         19.02
15        -55.849    0.90   1.60311    60.6       18.78
16         19.715    1.73   1.80809    22.8       18.41
17         26.931  (可変)                         18.20
18         21.636    6.77   1.59282    68.6       21.00
19        -31.620    0.20                         21.16
20*       -76.613    0.84   1.85400    40.4       20.81
21         16.324    8.88   1.48749    70.2       21.03
22        -37.172  (可変)                         22.79
像面        ∞   
非球面データ
第2面
K =-5.73958e-001  A 4=-3.31917e-006  A 6=-2.25126e-008  A 8=-3.99746e-011  
第3面
K = 0.00000e+000  A 4=-1.96859e-006  A 6=-1.73017e-008  A 8= 5.23762e-011  A10=
-1.15220e-015  
第7面
K = 0.00000e+000  A 4= 3.98392e-006  A 6= 7.81336e-009  A 8=-6.88826e-011  
第20面
K = 0.00000e+000  A 4=-1.71627e-005  A 6=-1.36689e-008  A 8=-3.49811e-011  A10=
3.08747e-013  
各種データ
広角     中間     望遠
焦点距離      17.64    23.00    39.05  
Fナンバー      2.64     3.04     4.10  
半画角（度）  50.80    43.25    28.99  
像高          21.64    21.64    21.64  
レンズ全長   134.67   132.15   136.70  
BF            39.97    48.70    64.95  
d 8           17.73     9.75     1.06  
d13            1.24     1.26     5.84  
d17           11.79     8.50     0.92  
d22           39.97    48.70    64.95  
ズームレンズ群データ
群  始面    焦点距離  レンズ構成長  前側主点位置  後側主点位置
1    1     -19.62        33.38         5.48        -18.75
2    9      25.99         9.76         3.64         -2.82
3   14     -32.75         4.09         2.75         -0.21
4   18      39.96        16.70         2.77         -9.19
【手続補正８】
【補正対象書類名】明細書
【補正対象項目名】００４６
【補正方法】変更
【補正の内容】
【００４６】
(数値実施例２)
単位 mm
面データ
面番号       r        d      nd         νd       有効径
1         59.840    2.50   1.80400    46.6       61.87
2         17.282   14.64                         34.15
3        129.723    1.61   1.59282    68.6       32.59
4         21.610    6.44                         27.39
5        -86.935    1.36   1.59282    68.6       27.10
6         31.102    0.15                         25.84
7         22.525    7.45   1.80518    25.4       26.07
8       -110.226    5.82                         24.72
9*       -31.089    1.20   1.85135    40.1       17.80
10       -844.340  (可変)                         17.08
11          ∞       1.46                         10.26
12         43.413    1.62   1.88300    40.8       10.87
13        -94.260    1.85                         10.94
14(絞り)    ∞       1.70                         10.95
15        -19.292    0.75   1.88300    40.8       10.96
16         32.493    3.22   1.51823    58.9       11.53
17        -20.261    0.20                         12.31
18        194.716    4.25   1.48749    70.2       12.74
19        -12.377    0.80   1.88300    40.8       13.21
20        -27.182    0.20                         13.96
21        712.893    3.28   1.59270    35.3       14.77
22        -21.620    0.35                         15.87
23      -60941.798    0.93   1.83400    37.2       16.91
24         28.231    4.77   1.49700    81.5       17.60
25        -34.279    0.20                         18.70
26      -80910.795    1.68   1.48749    70.2       19.49
27        -87.072  (可変)                         19.87
像面        ∞   
非球面データ
第9面
K = 0.00000e+000  A 4=-6.64162e-006  A 6= 2.58871e-008  A 8=-8.99837e-010  A10=
1.12233e-011  A12=-5.07106e-014  
各種データ
広角     中間     望遠
焦点距離       8.05    11.85    15.14  
Fナンバー      4.12     4.12     4.12  
半画角（度）  87.5        87.5      87.5  
像高          11.15    16.77    21.64  
レンズ全長   129.57   127.26   129.98  
BF            40.25    49.58    57.66  
d10           20.89     9.25     3.89  
d27           40.25    49.58    57.66  
ズームレンズ群データ
群  始面    焦点距離  レンズ構成長  前側主点位置  後側主点位置
1    1     -10.91        41.17        10.51        -15.41
2   11      26.80        27.26        15.90         -6.32
以上、本発明の好ましい実施形態について説明したが、本発明はこれらの実施形態に限定されず、その要旨の範囲内で種々の変形及び変更が可能である。次に各条件式に対しての値を表（３）に示す。
【手続補正９】
【補正対象書類名】図面
【補正対象項目名】図３
【補正方法】変更
【補正の内容】
【図３】
2012042792.tif 000001
【手続補正１０】
【補正対象書類名】図面
【補正対象項目名】図５
【補正方法】変更
【補正の内容】
【図５】
2012042792.tif 000002
【手続補正１１】
【補正対象書類名】図面
【補正対象項目名】図６
【補正方法】変更
【補正の内容】
【図６】
2012042792.tif 000003